【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
吸入装置用の吸入器用用量カートリッジであって、
対向する２つの面を有し、前記２つの面を空気流に対して露出するように前記吸入器用用量カートリッジ内に位置決めされている、加熱気化される原薬を含む通気性材料の平パレットと；
前記パレットの前記２つの面を連結する少なくとも１つの側面から前記パレットを支持する、前記パレットに結合された支持部材と；
前記支持部材との取付け部分から少なくとも部分的に前記対向する２つの面の少なくとも一方を横切って伸長する電気抵抗加熱要素と、を備え、
前記電気抵抗加熱要素の、前記パレットを横切って伸長している一部は、前記パレットの粒状部分が前記吸入器用用量カートリッジから離れることを防止する防壁部を備える、
吸入器用用量カートリッジ。
【請求項２】
前記吸入器用用量カートリッジの少なくとも一部は、少なくとも１ｋＰａの引込み真空下で１分あたり少なくとも０．５リットルの、前記パレットを通るガス流量を可能にするように構成されている、
請求項１に記載の吸入器用用量カートリッジ。
【請求項３】
前記電気抵抗加熱要素は、前記パレットを横切って伸長している領域の片側または両側に電極との接触受入れ領域を備える、
請求項１または請求項２に記載の吸入器用用量カートリッジ。
【請求項４】
前記支持部材は、前記パレットの少なくとも３つの側面の少なくとも一部を囲む、
請求項１〜３のいずれか一項に記載の吸入器用用量カートリッジ。
【請求項５】
前記電気抵抗加熱要素は、前記パレットの少なくとも２つの対向表面に熱的に接触し、かつ前記少なくとも２つの対向表面を横切って伸長している、
請求項１〜４のいずれか一項に記載の吸入器用用量カートリッジ。
【請求項６】
前記電気抵抗加熱要素は、織られたメッシュを備える、
請求項１〜５のいずれか一項に記載の吸入器用用量カートリッジ。
【請求項７】
前記電気抵抗加熱要素は、２つの端部を有するＵ字形状を、前記パレットが位置決めされる凹所の周りに備える、
請求項５に記載の吸入器用用量カートリッジ。
【請求項８】
前記電気抵抗加熱要素は少なくとも２つの抵抗加熱要素を含み、各抵抗加熱要素は、前記パレットの少なくとも一部と熱的に接触し、かつ前記パレットの少なくとも一部を横切って伸長している、
請求項１〜７のいずれか一項に記載の吸入器用用量カートリッジ。
【請求項９】
前記電気抵抗加熱要素は、前記パレットの少なくとも一部の中に被包されている部分であって、前記パレットの少なくとも一部の中を横切って伸長している部分を有する、
請求項１〜８のいずれか一項に記載の吸入器用用量カートリッジ。
【請求項１０】
前記電気抵抗加熱要素は、前記パレットの表面を横切って伸長しており、かつ前記パレット内への複数の突出部を備える、
請求項１〜９のいずれか一項に記載の吸入器用用量カートリッジ。
【請求項１１】
前記電気抵抗加熱要素の、前記パレットを横切って伸長している少なくとも一部は、空気を通過させる、
請求項１〜１０のいずれか一項に記載の吸入器用用量カートリッジ。
【請求項１２】
前記電気抵抗加熱要素は、エッチングした金属箔の少なくとも１つのリボンを備える、
請求項１〜１１のいずれか一項に記載の吸入器用用量カートリッジ。
【請求項１３】
前記電気抵抗加熱要素の少なくとも一部は、前記パレットに埋め込まれている、
請求項１〜１２のいずれか一項に記載の吸入器用用量カートリッジ。
【請求項１４】
前記パレットの前記２つの面の少なくとも一方に沿って取り付けられた通気性支持部材を備え、前記通気性支持部材は、前記パレットの粒状部分が前記吸入器用用量カートリッジから離れることを防止するように十分に閉鎖されている、
請求項１〜１３のいずれか一項に記載の吸入器用用量カートリッジ。
【請求項１５】
前記通気性支持部材は、前記パレットと前記加熱要素とを分離している、
請求項１４に記載の吸入器用用量カートリッジ。
【請求項１６】
前記電気抵抗加熱要素は、用量部引出し部の輸送アームに取り付けられる形状の取付け要素を備える、
請求項１〜１５のいずれか一項に記載の吸入器用用量カートリッジ。
【請求項１７】
前記材料は、大麻を含む、
請求項１〜１６のいずれか一項に記載の吸入器用用量カートリッジ。
【請求項１８】
前記材料には、カンナビス・サティバ（Cannabis sativa）、カンナビス・インディカ（Cannabis indica）、カンナビス・ルデラリス（Cannabis ruderalis）、アカシア属植物（Acacia spp.）、ベニテングタケ（Amanita muscaria）、ヤヘー（Yage）、ベラドンナ（Atropa belladonna）、ビンロウ（Areca catechu）、ブルグマンシア属植物（Brugmansia spp.）、ニオイバンマツリ（Brunfelsia latifolia）、ハイクサネム（Desmanthus illinoensis）、バニステリオプシス・カーピ（Banisteriopsis caapi）、トリコケレウス属植物（Trichocereus spp.）、カカオ（Theobroma cacao）、トウガラシ属植物（Capsicum spp.）、キチョウジ属植物（Cestrum spp.）、コカ（Erythroxylum coca）、コリウス（Solenostemon scutellarioides）、ダンチク（Arundo donax）、アラビカコーヒーノキ（Coffea arabica）、チョウセンアサガオ属植物（Datura spp.）、デスフォンタイニア属植物（Desfontainia spp.）、ディプロプテリス・カブレラナ（Diplopterys cabrerana）、シナマオウ（Ephedra sinica）、バッカクキン（Claviceps purpurea）、ガラナ（Paullinia cupana）、オオバアサガオ（Argyreia nervosa）、ヒヨス（Hyoscyamus niger）、イボガ（Tabernanthe iboga）、ラゴキルス・イネブリアンス（Lagochilus inebriens）、ジャスティシア・ペクトラリス（Justicia pectoralis）、カンナ（Sceletium tortuosum）、カヴァ（Piper methysticum）、アラビアチャノキ（Catha edulis）、ミトラガイナ・スペシオーサ（Mitragyna speciosa）、カエンキセワタ（Leonotis leonurus）、スイレン属植物（Nymphaea spp.）、ハス属植物（Nelumbo spp.）、テキサスマウンテンローレル（Sophora secundiflora）、ムクナ（Mucuna pruriens）、マンドレイク（Mandragora officinarum）、ミモサ・テヌイフローラ（Mimosa tenuiflora）、キバナハマヒルガオ（Ipomoea violacea）、シビレタケ属（Psilocybe spp.）、ヒカゲタケ属（Panaeolus spp.）、ナツメグ（Myristica fragrans）、タービナ・コリボサ（Turbina corymbosa）、チャボトケイソウ（Passiflora incarnata）、ウバタマ（Lophophora williamsii）、クサヨシ属植物（Phalaris spp.）、ピチュリ（Duboisia hopwoodii）、ケシ（Papaver somniferum）、サイコトリア・ビリディス（Psychotria viridis, spp.）、サルビア・ディビノラム（Salvia divinorum）、シクンシ科植物（Combretum quadrangulare）、トリコセレウス・パチャノイ（Trichocereus pachanoi）、シニクイチ（Heimia salicifolia）、スリーピーグラス（Stipa robusta）、ソランドラ属植物（Solandra spp.）、セイヨウオトギリ（Hypericum perforatum）、サンユウカ属植物（Tabernaemontana spp.）、チャノキ（Camellia sinensis）、タバコ（Nicotiana tabacum）、ニコチアナ・ルスティカ（Nicotiana rustica）、エペナ（Virola theidora）、ボアカンガ・アフリカーナ（Voacanga africana）、ワイルドレタス（Lactuca virosa）、ニガヨモギ（Artemisia absinthium）、イェルバ・マテ（Ilex paraguariensis）、アナデナンテラ属植物（Anadenanthera spp.）、コリナンテ・ヨヒンベ（Corynanthe yohimbe）、カレア・ザカテチチ（Calea zacatechichi）、コーヒーノキ属植物（Coffea spp.）（アカネ科）、ムクロジ科植物（Sapindaceae spp.）、ツバキ属植物（Camellia spp.）、アオイ科植物（Malvaceae spp.）、モチノキ科植物（Aquifoliaceae spp.）、フーディア属植物（Hoodia spp.）、カモミール（Chamomilla recutita）、チャボトケイソウ（Passiflora incarnate）、チャノキ、セイヨウハッカ（Mentha piperita）、ミドリハッカ（Mentha spicata）、ヨーロッパキイチゴ（Rubus idaeus）、ユーカリプタス・グロブルス（Eucalyptus globulus）、ラバンデュ��・オフィシナリス（Lavandula officinalis）、タチジャコウソウ（Thymus vulgaris）、コウスイハッカ（Melissa officinalis）、タバコ、アロエベラ、アンゼリカ、アニス、アヤワスカ（バニステリオプシス・カーピ）、メギ、ブラック・ホアハウンド、ブルーロータス、ゴボウ、カモミール、ヒメウイキョウ、キャッツクロー、クローブ、ヒレハリソウ、トウモロコシの毛、シバムギ、ダミアナ、ダミアナ、タンポポ、マオウ、ユーカリ、マツヨイグサ、ウイキョウ、ナツシロギク、アメリカヒトツバタゴ、ニンニク、ショウガ、イチョウ、チョウセンニンジン、アキノキリンソウ、ヒドラスチス、ツボクサ、緑茶、ガラナ、サンザシ、ホップ、トクサ、ヤナギハッカ、コーラ・ナッツ、クラトン、ラベンダー、コウスイハッカ、カンゾウ、ライオンズテール／ワイルドダッガ（Lion’s Tail/Wild Dagga）、マカの根、ウスベニタチアオイ、セイヨウナツユキソウ、マリアアザミ、セイヨウメハジキ、パッションフラワー、トケイソウ、ペパーミント、アザミゲシ、スベリヒユ、キイチゴの葉、ヒナゲシ、ヤクヨウサルビア、ノコギリヤシ、マルバキンゴジカ、シニクイチ（マヤのサンオープナー（Mayan Sun Opener））、スペアミント、ショウブ、シリアン・ルー（ペガヌム・ハルマラ）、タイム、ウコン、セイヨウカノコソウ、野生ヤマノイモ、ヨモギ、ノコギリソウ、イェルバ・マテ、およびヨヒンベからなる群から選択される少なくとも１種類の植物性物質が含まれる、
請求項１〜１７のいずれか一項に記載の吸入器用用量カートリッジ。